(57)【要約】【課題】従来の携帯型の警報装置を用いたセキュリティシステムでは、犯罪行為の行われている最中に前記装置に対して何らかの操作を行わなければならず、被害者が動揺していたりすると、情報を外部・第三者に的確に伝えることが困難であり、システムを被害者保護に有効に機能させることが出来ていなかった。【解決手段】個人が所持する通信装置とセンタが通信することにより前記個人の異常を検知するセキュリティシステムにおいて、第１の信号を発信する第１の通信装置と、前記第１の信号を受信すると、第２の信号を発信する第２の通信装置と、前記センタに接続され、前記第２の信号を受信することにより前記第１及び第２の通信端末の状態を検知する受信装置とから構成したことにより、第１の通信装置が故障、破壊、投棄されていてもセンタに確実に異常が通知される。【選択図】    図１
2007219934.tif 000002
【特許請求の範囲】
【請求項１】
個人が所持する通信装置とセンタが通信することにより前記個人の異常を検知するセキュリティシステムにおいて、
第１の信号を発信する第１の通信装置と、
前記第１の信号を受信すると、第２の信号を発信する第２の通信装置と、
前記センタに接続され、前記第２の信号を受信することにより前記第１及び第２の通信端末の状態を検知する受信装置とからなることを特徴とするセキュリティシステム。
【請求項２】
個人が所持する通信装置とセンタが通信することにより前記個人の異常を検知するセキュリティシステムにおいて、
第１の信号を発信する第１の通信装置と、
前記第１の信号を受信すると、第２の信号を発信する第２の通信装置と、
前記センタに接続され、前記第１または第２の信号を受信することにより前記第１及び第２の通信端末の状態を検知する受信装置とからなることを特徴とするセキュリティシステム。
【請求項３】
前記第２の通信装置は、撮影手段を備え、前記第２の信号と共に、前記撮影手段で撮影した画像を前記受信装置及びセンタに送信することを特徴とする請求項１又は２記載のセキュリティシステム。
【請求項４】
前記第２の通信装置は、前記第１の通信装置から受信装置に対して送信していることを監視する送信監視手段を有し、
前記送信監視手段により、前記第１の通信装置の送信がされていないことを検知すると、前記受信装置に対して前記第２の信号を送信を開始することを特徴とする請求項１乃至３のいずれか１項記載のセキュリティシステム。
【発明の詳細な説明】
【技術分野】
【０００１】
本発明は、犯罪などから身を守るために通信機能を有した警報ブザーや携帯電話等の機器を用いて、被害者の非常事態を第三者に通知するセキュリティシステムに関するものである。
【背景技術】
【０００２】
近年、犯罪の多発により社会全般において防犯意識が高まりつつある。そのため、犯罪に遭遇するなどの緊急の事態が発生した場合に有効なセキュリティ機器やシステムが考案されている。その中でも、個人に携帯式の警報ブザーを所持してもらい、犯罪に際して個人が警報ブザーを作動させ、警報音により加害者を驚かせ、また周囲に吹鳴して危険を報知し援助及び撃退協力を要請する形態のものが代表的である。
【０００３】
近年ではこれをさらに発展させたシステムとして、警報ブザー等に発信機能を持たせ、基地局端末を経由して、警備会社等の第三者からなる防犯組織のセンタ端末に被害にあっている個人の位置情報等をリアルタイムで送信することにより、早期に防犯行動を開始できるようにしたシステムが稼動している。
【特許文献１】特開２００２−４２２８４号
【発明の開示】
【発明が解決しようとする課題】
【０００４】
上記したセキュリティシステムでは、警報ブザーを所持した個人が、誘拐・連れ回し・監禁・ストーカー等のような犯罪に遭遇すると、加害者の犯罪及び暴力行為の行われている最中に警報ブザーに対して何らかの操作を行わなければならない。具体的には、抜いたキーをもう一度挿入すると容易に消音ができる構成となっているので、加害者が被害者から警報ブザーとキーを取り上げることで消音できてしまうという問題があった。
【０００５】
さらに、加害者が、前記個人から警報ブザーそのものを取り上げ、破棄または投棄するなどした場合には、容易に警報を消音できるのみならず、警報ブザーの発信機能が破壊されて追跡するための情報も全く得られなくなるという問題も存在する。また、個人が所持している通信端末が基地局端末と通信をやり取りして非常事態の発生を通知するセキュリティシステムでは、通信相手である基地局端末への電波が届きにくい場所であった場合は、通信端末は発信のために多くの電力を費やしてしまうといった問題がある。
【課題を解決するための手段】
【０００６】
上記した課題を解決するために、本発明では、個人が所持する通信装置とセンタが通信することにより前記個人の異常を検知するセキュリティシステムにおいて、第１の信号を発信する第１の通信装置と、前記第１の信号を受信すると、第２の信号を発信する第２の通信装置と、前記センタに接続され、前記第２の信号を受信することにより前記第１及び第２の通信端末の状態を検知する受信装置とから構成するようにした。
また、第２の発明として、個人が所持する通信装置とセンタが通信することにより前記個人の異常を検知するセキュリティシステムにおいて、第１の信号を発信する第１の通信装置と、前記第１の信号を受信すると、第２の信号を発信する第２の通信装置と、前記センタに接続され、前記第１または第２の信号を受信することにより前記第１及び第２の通信端末の状態を検知する受信装置とから構成するようにした。
【発明の効果】
【０００７】
以上のような構成により、加害者が、取り上げた警報ブザーのキーをもう一度挿入して消音したり、警報ブザーそのものを破棄、投棄するなどした場合にも、第２の通信端末を破壊されない限り、確実にセンタ端末に情報を通知することができる。その結果、加害者及び被害者を追跡するための情報が容易に得られるようになる。また、基地局端末への電波の信号が届きにくい場所であった場合には、通信端末は発信のための電力を節約でき、結果として長時間運用可能なセキュリティシステムを実現できる。
【発明を実施するための最良の形態】
【０００８】
以下に本発明を実施するための最良の形態である実施例１及び２について説明する。
【実施例１】
【０００９】
本発明の実施例１は、個人が所持する通信装置とセンタが通信することにより前記個人の危険を検知するセキュリティシステムを、第１の電波により信号を発信する電波発信手段を有する第１の通信装置と、前記第１の電波により信号を受信する電波受信手段と、前記第１の電波の信号を受信すると第２の電波の信号を発信する電波発信手段とを有する第２の通信装置と、前記センタに設けられ前記第２の電波の信号を受信することにより前記第１及び第２の通信端末の状態を検知する受信装置とから構成するようにしたものである。
【００１０】
（構成）
次に実施例１のセキュリティシステムと該システムにおいて使用される装置の構成について説明する。図１は本実施例のセキュリティシステムの構成図である。個人Ｐは、犯罪等に遭遇した場合に被害者となる可能性があり、その居所や安否の状態を家族や警備会社等の第三者に連絡する必要のある者である。該個人Ｐは外出するに当たっては、警報ブザー１及び携帯無線端末２を所持している。
【００１１】
警報ブザー１は警報を発すると同時に第１の電波Ａを発信し、携帯無線端末２と通信する機能を有する第１の通信装置である。また、携帯無線端末２は警報ブザー１の発信した第１の電波Ａを受信することにより、第１の電波Ａと異なる周波数の第２の電波Ｂを発信して基地局端末３又は４と通信し、警報ブザー１が警報を発した旨及び個人Ｐに非常事態が発生した旨の情報をセンタ端末５に送信する第２の通信装置である。また、基地局端末３及び４は屋外の街路等の各所に任意の数だけ設置され、第２の電波Ｂを受信することにより、携帯無線端末２と通信可能な受信装置である。
【００１２】
これら複数の基地局端末３及び４は、通信網を介して警備会社または警察等の監視センタに設けられたセンタ端末５に接続されている。また、同様に、通信網を介して個人Ｐの安否等を知るべき家族の自宅や警備担当者の詰め所等からなる第三者の連絡先に設けられた連絡先端末６が接続されている。
【００１３】
図２は、上記した第２の電波Ｂを受信した基地局３又は４と、センタ端末５及び連絡先端末６間のデータの流れを示した図である。基地局端末３又は４は第２の電波Ｂを受信するとセンタ端末５に対し通知データＸ１を発信する。また、センタ端末５は、通知データＸ１の受信をして、連絡先端末６に通知データＸ２を送信する。また、連絡先端末６からは、第三者の確認の後、通知データＸ１を解除するための解除データＹ１がセンタ端末５に対し発信される。センタ端末５からは通知データＸ１を解除するための解除データＹ２が基地局端末３又は４に対し発信される。
【００１４】
次に、警報ブザー１、携帯無線端末２、基地局端末３及び４の構成を説明する。図３は個人Ｐが携帯する第１の通信装置としての警報ブザーの構成を示した図である。図中、１は警報ブザーの機能を有する本体である。７は警報ブザー１から抜き差しすることで非常事態の有無を示すキーである。８はキー７の抜き挿しが可能なキーユニットから構成されたキー検知部であり、キー７の抜き差しを検知することができるようになっている。９はキー７をキー検知部８から抜くことでこれと連動して鳴動するブザー部である。１０はキー７をキー検知部８に抜いた時に、第１の電波Ａを送信する通信部である。１１は上述した各構成に電力を供給するバッテリ部である。１２は警報ブザー１内の各機能を制御するコントローラ部である。
【００１５】
図４は、第２の通信装置であるところの携帯無線端末の構成を示した図である。２は携帯無線端末の本体である。１３は外部の音を集音可能なスピーカ部である。１４は警報ブザー１から発信された第１の電波Ａを受信する第１通信部である。１５は基地局３又は４に対して第２の電波Ｂを発信する第２通信部である。１６は通信により受信した各種情報を表示する表示部である。１７は図示しない入力キー等が配列された操作部である。１８はレンズ等を有し操作部の所定の入力キーを押下すると撮影を行うカメラ部である。１９は上記各構成に電力を供給するバッテリ部である。２０は第１及び第２の通信部、カメラ部１８等で入力されたデータを記憶するメモリ部である。２１は上記各構成を制御するコントローラ部である。
【００１６】
図５は基地局端末３及び４の構成を示した図である。２２は、携帯無線端末２から発信された第２の電波を受信する受信部である。２３は、基地局端末を通信網に接続するネットワーク接続部である。２４は受信部２２またはネットワーク接続部２３を介した通信網から各種データを取り込み記憶するメモリ部である。２５は、上記した各構成に電力を供給するバッテリ部である。２６は上記各構成を制御するコントローラ部である。
【００１７】
（動作）
次に実施例１の動作について図６〜１２を用いて説明する。図６は警報ブザー１の動作のフローチャート図である。図中、Ｓ１〜Ｓ６は各動作ステップであり、以下の説明は当該ステップの順に従って述べる。
【００１８】
警報ブザー１は、初期の状態では、ブザー部９と通信部１０は発信及び鳴動はしていない（Ｓ１）。個人Ｐが警報ブザー１の図示しない電源を投入すると、キー検知部８にキー７が挿入されているか否かがチェックされる（Ｓ２）。ステップＳ２においてキー７が挿入されていないと判定された場合、通信部３が第２の電波Ｂを発信する（Ｓ３）。それと共にブザー部９が鳴動する（Ｓ４）。第２の電波Ｂにより、基地局端末３または４と通信するが、その間、センタ端末５から解除データＹ２に基づいて基地局端末３または４から発信されたブザー鳴動停止の信号を受信する（Ｓ５）と、初期状態に戻り通信部１０とブザー部９は発信及び鳴動を停止する（Ｓ６）。なお、ステップＳ５でブザー鳴動停止の信号を受信しない間は、ブザー部９は鳴動を継続する。
【００１９】
次に携帯無線端末２の動作について説明する。図７は携帯無線端末２の動作のフローチャート図である。Ｓ７〜Ｓ１９は動作の各ステップであり、該ステップに従って述べる。携帯無線端末２は、通常の携帯電話の機能が使用可能な状態で待機している（Ｓ７）。この間、第１通信部１４は、第１の電波Ａの受信を待ち受けの状態で待機しており、これを受信する（Ｓ８）。その後、スピーカ部１３、表示部１６、操作部１７、カメラ部１８の機能をＯＦＦにする（Ｓ９）。
【００２０】
また、Ｓ９の動作に続いてメモリ部２０に第１の電波Ａを受信した情報を記憶保持する（Ｓ１０）。この状態で携帯無線端末２のカメラ部１８を起動する操作部１７に設けられた図示しない釦が個人Ｐまたは加害者等により押された場合（Ｓ１１）は、カメラ部１８を起動して撮影し、撮影された画像データがメモリ部２０に記録される。（Ｓ１２）。携帯無線端末２は、第２の電波Ｂの本通信を行う直前に、仮の通信データを送信し、一定の時間受信が検出された場合は送受信可能な電波状態であると判定する（Ｓ１３）。このような判定を一定時間毎に行い、通信可能な基地局端末を探査（Ｓ１４）した後、通信可能な基地局端末３または４が検出されると、警報ブザー１が警報を発した旨及び、メモリ部２０に記憶された画像データを、第２の電波Ｂとして基地局端末３又は４に発信する。（Ｓ１５）。  
【００２１】
センタ端末５及び連絡先端末６では、後述する手順により、所定のデータ確認が行われ、該確認が完了すると連絡先端末６からの入力に従い、センタ端末５から携帯無線端末２に解除データＹ２が発信されてくる。
【００２２】
携帯無線端末２は、センタ端末５から発信される解除データＹ２を受信したかを監視しており（Ｓ１６）、解除データＹ２を受信すると第２の電波Ｂの送信を停止する（Ｓ１７）。送信を停止すると、表示部１６、操作部１７、カメラ部１８の機能をＯＮにして通常の待機状態に戻す（Ｓ１８）。さらにメモリ部２０の第２の電波Ｂを受信した情報をクリアする（Ｓ１９）。
【００２３】
次に基地局端末３及び４の動作について説明する。図８は基地局端末３及び４の動作のフローチャート図である。Ｓ２０〜Ｓ２２は動作の各ステップであり、該ステップに従って述べる。基地局端末３及び４は、第２通信部で、第２の電波Ｂの受信を監視している（Ｓ２０）。第２の電波Ｂを受信すると、携帯無線端末２が、警報ブザー１からの第１の電波Ａを受信した旨及び、送信されてきたカメラ部１８の画像に基づいて、通知データＸ１を生成（Ｓ２１）し、センタ端末５に対して該データを発信する（Ｓ２２）。
【００２４】
次にセンタ端末５の動作を説明する。図１０はセンタ端末５の動作のフローチャート図である。Ｓ２３〜３１はセンタ端末５の動作の各ステップを示したものである。以下、当該ステップに従って説明する。センタ端末５は、基地局３又は４から送信されてきた通知データＸ１を受信（Ｓ２３）すると、連絡先端末６に警報ブザー１のキー１２が抜かれた旨を示す情報や第２の電波Ｂを受信した基地局端末３の場所に関する情報から携帯無線端末２の位置情報を計算してデータ化し（Ｓ２４）、図９に示したように、センタ端末５の画面に表示する。この時、携帯無線端末２の位置をセンタ端末５に予め内蔵されている地図上に重ねて表示し、その他に、携帯無線端末２のカメラ部１８で撮影された画像、コメント入力欄、緊急出動要請ボタン、連絡先送信ボタン等を併せて表示する（Ｓ２５）。この時、センタ端末５に接続された図示しない入力手段等を用いて、係員が、表示された画像や地図等を確認しながら専門家の見地からのコメントをコメント欄に入力する。また、表示された位置情報等から緊急性を有する案件であると判断した場合は、緊急出動要請ボタンを押下し、個人Ｐを保護するために警備員出動の要請等を行う（Ｓ２６）。Ｓ２６において必要に応じて上記コメント入力及び緊急出動要請ボタンを押下を行った後、連絡先送信ボタンを押下すると、警報ブザー１と携帯無線端末２の位置座標のデータと、係員のコメント及び、現時点で取られている措置等の情報に基づき通知データＸ２を生成して、該データを連絡先端末６に通信網を介して送信する（Ｓ２７）。
【００２５】
連絡先端末６は後述する手順によりを家族や警備担当者の第三者が個人Ｐの安否を確認した後、携帯無線端末２の停止を指示するため、解除データＹ１をセンタ端末５に対し送信する。
【００２６】
センタ端末５は、解除データＹ１の受信を監視しており（Ｓ２８）、解除データＹ１が受信されると、受信した解除データＹ１とセンタ端末５に予め登録してある登録データとを照合して一致することを確認し（Ｓ２９）、該照合処理によりデータが一致した場合、携帯無線端末２に対して第２の電波Ｂの送信を停止する指示を解除データＹ２で送信する（Ｓ３１）。
【００２７】
該照合処理によりデータが一致しなかった場合、連絡先端末６に対して第解除データＹ１が誤っている旨を発信し、解除データＹ２の確認また再送を促す（Ｓ３０）。
【００２８】
次に連絡先端末６の動作を説明する。図１１は連絡先端末６の動作のフローチャート図である。Ｓ３２〜３４は連絡先端末６の動作の各ステップを示したものである。以下、当該ステップに従って説明する。連絡先端末６は、センタ端末５の発信した通知データＸ２を受信（Ｓ３２）すると、通知データＸ２から、携帯無線端末の位置座標のデータ、カメラ部１８による画像データ、係員のコメント等を抽出（Ｓ３３）し、図１２に示すように携帯無線端末２の位置をセンタ端末５に予め内蔵されている地図上に重ねて表示し、その他に、携帯無線端末２のカメラ部１８で撮影された画像、コメント欄、携帯無線端末発信解除ボタン等を併せて表示する（Ｓ３４）。家族や警備担当者の第三者が、これらの情報から、個人Ｐの安否を確認する。その後、携帯無線端末２の停止を指示する場合は、携帯無線端末発信解除ボタンを押下（Ｓ３５）し、解除データＹ１をセンタ端末５に対し発信する（Ｓ３６）。
【００２９】
上記した実施例１によれば、加害者が、警報ブザーのキーをもう一度挿入して消音したり、警報ブザーそのものを破棄、投棄するなどした場合にも、確実にセンタ端末に情報を通知することができる。また、携帯無線端末の位置等の情報が監視センタ及び家族等にすばやく送信され、加害者及び被害者を追跡するための情報が容易に得られるようになる。
【実施例２】
【００３０】
本発明の実施例２は、図１で示した実施例１のセキュリティシステムの構成において、基地局端末３及び４は、警報ブザー１から発信された第１の電波Ａの信号及び携帯無線端末２からの第２の電波Ｂの信号の双方を受信可能に構成されており、また、携帯無線端末２は、警報ブザー１から第２の電波Ｂの信号が継続的に受信できている時は、第１の電波Ａの信号により基地局端末３又は４との通信が可能であるとして第２の電波Ｂの信号を送信せず、第１の電波Ａの信号が継続的に受信できていないときは、第２の電波Ｂの信号を基地局端末３又４に発信するようにしたものである。
【００３１】
（構成）
次に実施例２の構成を説明する。本実施例のセキュリティシステム全体の構成は図１に示したものを同様である。図１３は本実施例のデータの流れを示した図である。図１３（ａ）は第１の電波Ａ及びＢがそれぞれ異なる基地局端末にて受信される場合であり、図中、第１の電波Ａが基地局端末３で受信され、第２の電波Ｂが基地局端末４で受信されるものとする。また、図１３（ｂ）は、第１の電波Ａ及びＢがそれぞれ異なる基地局端末３及び４にて受信される場合であり、図中、第１の電波Ａが基地局端末３で受信され、第２の電波Ｂが基地局端末４で受信されるものとする。
【００３２】
図１４は、本実施例の基地局端末３及び４の構成を示したものである。図中、２２は、警報ブザー１から送信された第１の電波Ａを受信して検知する第１受信部である。２３は、携帯無線端末２から送信された第２の電波Ｂを受信して検知する第２受信部である。２４は通信網と通信可能に接続するネットワーク接続部である。２５は計時処置を行うタイマー部である。２６は第１受信部２２、第２受信部、ネットワーク接続部２４から取り込んだ各種データを記憶するメモリ部である。２７は上記構成に電力を供給するバッテリ部である。２８は上記構成を制御するコントローラ部である。
【００３３】
（動作）
次に実施例２のシステムの動作について説明する。まず、図１５において実施例２の携帯無線端末２の動作について説明する。該図には携帯無線端末２の動作のフローチャート図を示している。図においてＳ７〜１９までの処理は、実施例１で説明した図７の動作と全く同様であり、本実施例では、Ｓ１０Ａの新たなステップが加わっている点で異なっている。同処理では、第１通信部において、第１の電波Ａが一定時間だけ第１の電波Ａを継続受信できる場合について、Ｓ１１より以降の処理を行うようにしている。これにより、携帯受信端末２は、第１の電波Ａでの送信が不可能な場合にのみ第２の電波Ｂを発信するように制御される。同図の詳細な説明については実施例１で説明済みでありここでは割愛する。
【００３４】
次に、実施例２の基地局端末３及び４の動作について説明する。図１６は基地局端末３及び４の動作のフローチャートである。図中、Ｓ３５〜４３は動作の各ステップを示している。以下、該ステップに従って説明する。基地局の受信状態が図１３（ａ）のように、第２の電波ＢとＣは同一の基地局端末３又は４において受信される場合は、受信した基地局端末３又は４は、第１受信部２２により、第１の電波Ａを受信する（Ｓ３５）と、タイマー部２５が計時を開始（Ｓ３６）し、予め決められた短い所定の時間内に、第２受信部２３において、第２の電波Ｂを受信するかを監視（Ｓ３７）し、受信された場合は、第１の電波Ａと第２の電波Ｂが同一の基地局端末３又は４において検出されたものと判断して、第１の電波Ａ及びＢが検出された旨の情報とタイマー部２５から読み出した各電波の受信時刻のデータ、カメラ１８の画像に基づいて、一つの通知データＸ１を生成（Ｓ４０）し、該データＸ１をネットワーク接続部及び通信網を介してセンタ端末５に送信する（Ｓ４３）。
【００３５】
個人Ｐの所持している警報ブザー１が、加害者に奪われて第１の電波Ａを発信可能な状態のままで投棄等され、その後、携帯無線端末２のみを所持した状態で個人Ｐが加害者に連れまわされたりする場合は、２つの端末が互いに遠距離に存在しており、図１３（ｂ）のように、第１の電波ＡとＢとが各々別のことなる基地局端末３及び４において受信されることがある。このような場合は、一方の基地局端末３は、第１受信部２２の監視（Ｓ３５）により、警報ブザー１からの第１の電波Ａを受信する。これによりタイマー部２５による計時を開始（Ｓ３６）し、予め決められた短い所定の時間、第２の電波Ｂの受信を監視（Ｓ３７）する。しかし、図１３（ｂ）の場合、基地局端末３では第２の電波Ｂは検出されず、そのまま前記所定の時間が経過した場合（Ｓ３８）は、第２の電波Ｂのみが検出されたものと判断して、第２の電波Ｂが検出された旨の情報とタイマー部から読み出した第２の電波Ｂの受信時刻に基づいて、通知データＸ１Ｂを生成（Ｓ４１）し、該データＸ１Ｂをネットワーク接続部及び通信網を介してセンタ端末５に送信する（Ｓ４３）。
【００３６】
また、図１３（ｂ）の状態で、基地局端末４では、Ｓ３５の電波Ａの監視状態で、電波Ａを受信せずに電波Ｂのみ受信した場合（Ｓ３９）は、実施例１の処理と同様に電波Ｂを受信した旨の通知データＸ１を生成し（Ｓ４２）該データＸ１をネットワーク接続部及び通信網を介してセンタ端末５に送信する（Ｓ４３）。
【００３７】
基地局端末３及び４から、通知データＸ１Ａ、Ｘ１Ｂ又はＸ１を受信したセンタ端末５は以降、実施例１と同様の動作をするが、センタ端末５の画面表示に当たっては、図１７に示したように警報ブザー１と携帯無線端末２の位置を各々地図上に表示する。このようにすることにより、例えば、警報ブザー１と携帯無線端末２の位置が著しく乖離している場合は、監視センタの係員は、個人Ｐが２つの端末を所持しておらず、一方の端末が加害者により発信可能なまま投棄されたものと判断し、加えて、カメラ部１８の画像も確認することで、緊急出動の要請を行うべく、緊急出動要請ボタンを押下して、的確な判断を下すことができる。
【００３８】
また、実施例２のセンタ端末５から連絡先端末６に情報の伝達は実施例１と同様の方法に行われるが、実施例２の連絡先端末６の画面では、図１８に示したように、センタ端末５に表示されているのを同じように警報ブザー１と携帯無線端末２の位置、カメラ部１８の画像、係員コメントを表示する。これらの情報から、家族や警備担当者の第三者が、個人Ｐの安否を確認する。
【００３９】
画面上には携帯無線端末２の停止を指示する携帯無線端末発信解除ボタンと、警報ブザー１の警報及び発信の停止を指示する警報ブザー発信解除ボタンを配置するようにし、第三者が、自身の希望に応じて上記ボタンを押すと、押下されたボタンの情報に基づいて解除データＹ１が生成され、該データがセンタ端末５に対される発信する。
【００４０】
センタ端末５は、受信した解除データＹ１の所定箇所とセンタ端末５に予め登録してある図示しない登録データとを照合して、一致することを確認した場合、解除データＹ１に含まれている第三者が指定した解除を希望する端末の情報を参照して、発信解除すべき基地局及び端末に解除データＹ２で送信する。この時、図１３（ａ）に示したように、同一の基地局端末３又は４により、第１の電波Ａと第２の電波Ｂが受信された場合には、受信した基地局端末３又は４に一の解除データＹ２を送信して通信を一括解除する。また、図１３（ｂ）に示したように、異なる基地局端末３及び４により、第１の電波Ａと第２の電波Ｂが受信された場合には、それぞれの基地局端末３及び４に各々解除データＹ２Ａ、Ｙ２Ｂを送信して通信を解除する。
【００４１】
以上のように実施例２によれば、警報ブザー１の第１の電波Ａにより、基地局端末３又は４と交信が直接可能な場合は、携帯無線端末２は第２の電波Ｂを発信しないようにしているので携帯無線端末２の電力を消費しないシステムを構成することが可能となる。また、第１の電波Ａと第２の電波Ｂが共に受信され、その位置情報が通知される構成となっているので、２つの端末の位置関係から、より被害者の詳細な状況把握が可能となる。  
【００４２】
さらには、各々の端末に対し個別に発信及び警報を解除することができ、詳細な遠隔操作が可能となる。
【００４３】
上記した本発明の実施例１及び２において、センタ端末５及び連絡先端末６は必ずしもパソコンに限らず、通信網に無線で接続される携帯電話、ＰＨＳ、各種モバイル端末等から構成してよい。この場合、位置情報等を必ずしも地図と合わせて画面表示する必要はなく、画面の構成は種々のレイアウトを採用することができる。また、連絡先端末への情報提供は必ずしも画面で表示するのでなく、係員のコメントを音声合成装置等により音声ガイダンス等で通知するようにしてもよい。また、上記の何れの情報についてもＦＡＸを利用して紙ベースで印刷し通知するようにしてもよい。
【図面の簡単な説明】
【００４４】
【図１】実施例１のセキュリティシステム構成図である。
【図２】実施例１のシステムのデータの流れを示した図である。
【図３】実施例１の警報ブザーの構成図である。
【図４】実施例１の携帯無線端末の構成図である。
【図５】実施例１の基地局端末の構成図である。
【図６】実施例１の警報ブザーの動作のフローチャートである。
【図７】実施例１の携帯無線端末の動作のフローチャートである。
【図８】実施例１の基地局端末の動作のフローチャートである。
【図９】実施例１のセンタ端末の画面表示である。
【図１０】実施例１のセンタ端末の動作のフローチャートである。
【図１１】実施例１の連絡先端末の動作のフローチャートである。
【図１２】実施例１の連絡先端末の画面表示である。
【図１３】実施例２のシステムのデータの流れを示したである。
【図１４】実施例２の基地局端末の構成図である。
【図１５】実施例２の携帯無線端末の動作のフローチャートである。
【図１６】実施例２の基地局端末の動作のフローチャートである。
【図１７】実施例２のセンタ端末の画面表示である。
【図１８】実施例２の連絡先端末の画面表示である。
【符号の説明】
【００４５】
１    警報ブザー
２    携帯無線端末  
３    基地局端末  
４    基地局端末
５    センタ端末
６    連絡先端末
７    キー
８    キー検知部
９    ブザー部
１０  通信部
１１  バッテリ部
１２  コントローラ部
１３  スピーカ部
１４  第１通信部
１５  第２通信部
１６  表示部
１７  操作部
１８  カメラ部
１９  バッテリ部
２０  メモリ部
２１  コントローラ部
２２  受信部
２３  ネットワーク接続部
２４  メモリ部
２５  バッテリ部
２６  コントローラ部
Ａ    第１の電波
Ｂ    第２の電波
Ｘ１  通知データ
Ｘ２  通知データ
Ｙ１  解除データ
Ｙ２  解除データ
【図１】
2007219934.tif 000003
【図２】
2007219934.tif 000004
【図３】
2007219934.tif 000005
【図４】
2007219934.tif 000006
【図５】
2007219934.tif 000007
【図６】
2007219934.tif 000008
【図７】
2007219934.tif 000009
【図８】
2007219934.tif 000010
【図９】
2007219934.tif 000011
【図１０】
2007219934.tif 000012
【図１１】
2007219934.tif 000013
【図１２】
2007219934.tif 000014
【図１３】
2007219934.tif 000015
【図１４】
2007219934.tif 000016
【図１５】
2007219934.tif 000017
【図１６】
2007219934.tif 000018
【図１７】
2007219934.tif 000019
【図１８】
2007219934.tif 000020